(57)【要約】    【課題】遊技機に対する不正行為を効率的に防止することができるとともに、既存の設備に非常に容易に、かつ、安価に導入することが可能な遊技機用の監視システムを提供する。    【解決手段】監視システムＳにおいては、各パチンコ機１，１・・にＩＣタグとアンテナとが設置されている。また、設置台２０３には、各パチンコ機１，１・・と隣接するように情報表示装置２０１，２０１・・が設けられており、それらの情報表示装置２０１，２０１・・の内部には、ＩＣタグとアンテナとを利用してパチンコ機１の監視動作を実行するＲ／Ｗユニット６６が内蔵されている。【選択図】  図１
2005253951.tif 000002
【特許請求の範囲】
【請求項１】
設置台に設置された少なくとも１つ以上の遊技機を監視するための遊技機用監視システムであって、
ＩＣタグとアンテナとが各遊技機に搭載されているとともに、
各遊技機に設置されたアンテナを介して当該遊技機に設置されたＩＣタグとの間の無線通信を断続的に繰り返し実行して無線通信状態の変化を検知し、その検知結果を含む監視履歴情報を記憶する各遊技機固有の監視制御装置が、各遊技機とは別の位置に設置されていることを特徴とする遊技機用監視システム。
【請求項２】
監視制御装置が設置台に設置されていることを特徴とする請求項１に記載の遊技機用監視システム。
【請求項３】
各遊技機が支持部材に扉を開閉自在に設けたものであり、それらの扉および支持部材のうちのいずれか一方にＩＣタグが設置されているとともに、他方にアンテナが設置されており、扉が開放されると、ＩＣタグとアンテナとが無線通信可能な距離を超えて離反することを特徴とする請求項１、または請求項２に記載の遊技機用監視システム。
【請求項４】
遊技機の作動を制御する制御装置がカバーに覆われた状態で遊技機に設置されており、そのカバーが取り外された場合には、遊技機に搭載されたＩＣタグとアンテナとが無線可能な距離を超えて離反することを特徴とする請求項１〜３のいずれかに記載の遊技機用監視システム。
【請求項５】
監視制御装置の記憶手段に記憶された監視履歴情報を外部に出力するための中継タグが、監視制御装置とともに設置台に設置されていることを特徴とする請求項２〜４のいずれかに記載の遊技機用監視システム。
【請求項６】
監視制御装置による監視状態を第一状態から第二状態へシフトさせるための認証タグが所定の距離内に配置された場合にのみ、その認証タグと無線通信を実行する認証用アンテナが、監視制御装置とともに設置台に設置されていることを特徴とする請求項２〜５のいずれかに記載の遊技機用監視システム。
【請求項７】
遊技に関連した情報を表示するための情報表示装置が各遊技機毎に設置台に設けられており、各情報表示装置の内部に各遊技機固有の監視制御装置が設置されていることを特徴とする請求項２〜６のいずれかに記載の遊技機用監視システム。
【発明の詳細な説明】
【技術分野】
【０００１】
本発明は、パチンコ機等の遊技機に対する不正行為の有無を監視するための監視システムに関するものである。
【背景技術】
【０００２】
遊技機の一種であるパチンコ機においては、作動内容を制御するＲＯＭ等の制御素子を偽造されたものにすり替える不正行為が行われることがある。このため、かかる不正行為を防止するために、制御素子を収納した制御基板収納ボックスに封印シールを設けたり、閉じる方向にのみ回転する封印ビスにより制御基板収納ボックスをかしめ止めすることによって制御基板収納ボックスの開放を困難にする方法が考案されている（特許文献１）。
【０００３】
ところが、上記した封印シールを用いるものでは、制御基板ボックスを開放して偽造されたＲＯＭへの交換が行われた後に、精巧な偽造封印シールを貼られてしまうと不正行為が行われたか否かを判断することができなくなる。また、封印ビスを用いる不正防止方法は、封印ビスを特殊な工具で強制的に開放方向に回転させることにより制御基板収納ボックスが開放されてしまうおそれがある。
【０００４】
それゆえ、出願人は、制御基板収納ボックスの分割式収納ケースにＩＣタグとアンテナとを別々に設置し、監視制御装置を利用してそれらのＩＣタグとアンテナとの間で無線通信を短時間の周期で繰り返し実行させることによって、制御基板収納ボックスの不正開放の有無を監視する自動監視システムについて提案した（特願２００２−２３２１９３）。
【０００５】
さらに、出願人は、上記の如きＩＣタグとアンテナとを利用した遊技機の自動監視システムにおいて、パチンコホールの店員がパチンコ機のメンテナンス作業を実行する際に警報の発生を一時的に停止させることを可能とすべく、店員が有するカードに内蔵された認証タグと無線通信可能な認証アンテナをパチンコ機の前面に設置し、認証タグと認証アンテナとの無線通信において所定の条件が充足された場合に、監視制御装置による監視態様を非報知態様に切り替える技術についても提案した（特願２００３−２７６１６４）。
【０００６】
【特許文献１】特開平１０−２１６３２４号公報
【発明の開示】
【発明が解決しようとする課題】
【０００７】
上記したＩＣタグとアンテナにより不正の有無を監視する方法によれば、制御基板収納ボックスに対する不正行為を効率的に監視することができる。しかしながら、すでにパチンコホールに設置されている遊技機に、かかる不正監視システムを導入しようとすると、遊技機やそれを設置するパチンコホールの設備の変更を余儀なくされることとなり、設備改造に多大な手間とコストを要してしまう。
【０００８】
一方、認証タグと無線通信可能な認証アンテナをパチンコ機の前面に設置する技術によれば、効率的な不正監視と容易なメンテナンス作業を同時に実現させることができるものの、そのような認証アンテナを既存のパチンコ機の筐体に設置するのは、きわめて困難である。
【０００９】
本発明の目的は、上記従来の不正防止手段が有する問題点を解消し、遊技機に対する不正行為を効率的に防止することができるとともに、既存の設備に非常に容易に、かつ、安価に導入することが可能な遊技機用の監視システムを提供することにある。
【課題を解決するための手段】
【００１０】
かかる本発明の内、請求項１に記載された発明の構成は、設置台に設置された少なくとも１つ以上の遊技機を監視するための遊技機用監視システムであって、ＩＣタグとアンテナとが各遊技機に搭載されているとともに、各遊技機に設置されたアンテナを介して当該遊技機に設置されたＩＣタグとの間の無線通信を断続的に繰り返し実行して無線通信状態の変化を検知し、その検知結果を含む監視履歴情報を記憶する各遊技機固有の監視制御装置が、各遊技機とは別の位置に設置されていることにある。
【００１１】
請求項２に記載された発明の構成は、請求項１に記載された発明において、監視制御装置が設置台に設置されていることにある。
【００１２】
請求項３に記載された発明の構成は、請求項１、または請求項２に記載された発明において、各遊技機が支持部材に扉を開閉自在に設けたものであり、それらの扉および支持部材のうちのいずれか一方にＩＣタグが設置されているとともに、他方にアンテナが設置されており、扉が開放されると、ＩＣタグとアンテナとが無線通信可能な距離を超えて離反することにある。
【００１３】
請求項４に記載された発明の構成は、請求項１〜３のいずれかに記載された発明において、遊技機の作動を制御する制御装置がカバーに覆われた状態で遊技機に設置されており、そのカバーが取り外された場合には、遊技機に搭載されたＩＣタグとアンテナとが無線可能な距離を超えて離反することにある。
【００１４】
請求項５に記載された発明の構成は、請求項２〜４のいずれかに記載された発明において、監視制御装置の記憶手段に記憶された監視履歴情報を外部に出力するための中継タグが、監視制御装置とともに設置台に設置されていることにある。
【００１５】
請求項６に記載された発明の構成は、請求項２〜５のいずれかに記載された発明において、監視制御装置による監視状態を第一状態から第二状態へシフトさせるための認証タグが所定の距離内に配置された場合にのみ、その認証タグと無線通信を実行する認証用アンテナが、監視制御装置とともに設置台に設置されていることにある。
【００１６】
請求項７に記載された発明の構成は、請求項２〜６のいずれかに記載された発明において、遊技に関連した情報を表示するための情報表示装置が各遊技機毎に設置台に設けられており、各情報表示装置の内部に各遊技機固有の監視制御装置が設置されていることにある。
【発明の効果】
【００１７】
請求項１に記載された遊技機用監視システムによれば、設置台に設置された遊技機に対する不正行為の有無を効果的に監視することができる上、遊技機の作動を停止させることなく、監視制御装置の設置作業やメンテナンス作業を行うことができる。また、遊技ホールに設置された既存の遊技機を利用して、改造等を要することなく非常に容易に不正監視システムを導入することができる。
【００１８】
請求項２に記載された遊技機用監視システムによれば、遊技ホールに設置された既存の遊技機を利用してシステムを導入する場合に、新たなスペースを設けることなく非常に容易に監視制御装置を設置することができる。
【００１９】
請求項３に記載された遊技機用監視システムによれば、遊技機の扉が開放された状態で行われる不正行為を集中的に効率良く監視することができる。
【００２０】
請求項４に記載された遊技機用監視システムによれば、遊技機の制御装置に対して行われる不正行為を集中的に効率良く監視することができる。
【００２１】
請求項５に記載された遊技機用監視システムによれば、中継タグを利用して、遊技機の外部から遊技機に対しする不正行為の履歴を効率良く参照することができる。また、新たなスペースを設けることなく非常に容易に中継タグを設置することができる。
【００２２】
請求項６に記載された遊技機用監視システムによれば発明の構成によれば、遊技ホールの店員がカード用アンテナを利用して監視状態を切り替えることにより、店員による遊技機のメンテナンス作業を不正行為と判別することができる。さらに、新たなスペースを設けることなく非常に容易に認証用アンテナを設置することができる。
【００２３】
請求項７に記載された遊技機用監視システムによれば、既存設備を利用した不正監視システムの導入をきわめて容易に行うことができる。特に、監視制御装置を情報表示装置以外の場所に設置する場合と異なり、監視制御装置の配線を設置台の島壁に穿設する必要がなくなるので、既存設備をほとんどそのまま利用した不正監視システムの導入が可能となる。また、遊技機に対する不正行為を防止する目的で設置台の島壁に鉄板が嵌め込まれている場合には、かかる効果がより一層顕著なものとなる。さらに、中継タグやをカード用アンテナを情報表示装置の内部に設置した場合には、ホール管理者が中継タグを利用する場合や店員が認証用アンテナを利用する場合の利便性が向上する。
【発明を実施するための最良の形態】
【００２４】
以下、本発明の一実施形態に係るパチンコ機用の監視システムについて、以下の目次の順序にしたがい、図面に基づいて詳細に説明する。
（１）監視システムの概要
（２）監視システムの構成
（３）監視システムの動作内容
（４）監視システムの効果
（５）監視システムの変更例
【００２５】
（１）監視システムの概要
図１は、本発明の一実施形態に係るパチンコ機用の監視システムを示したものであり、図２は、監視システムＳを導入したパチンコホールの外観を示す説明図である。パチンコホールの各設置台（設置島）２０３，２０３・・には、パチンコ機１，１・・が、背中合わせに２列に並べられて設置されている。なお、各パチンコ機１，１・・同士の間には、コインや遊技球等の媒体を貸し出すための貸出装置４４が設けられている。また、各設置台２０３，２０３・・には、各パチンコ機１，１・・と隣接した上方に、遊技情報の表示やパチンコホールの店員の呼び出しのための情報表示装置２０１が設置されており、その情報表示装置２０１には、パチンコ機１を監視するための監視制御装置であるＲ／Ｗユニット６６が内蔵されている。さらに、情報表示装置２０１には、Ｒ／Ｗユニット６６の記憶手段に記憶された「監視履歴情報」を外部に出力するための中継タグ７６、および、後述する店員カードとＲＦＩＤ通信を実行するための認証用アンテナ２０４が内蔵されている。
【００２６】
各Ｒ／Ｗユニット６６，６６・・は、パチンコ機１に接続されており、中継タグ７６および認証用アンテナ２０４とも接続されている。また、各Ｒ／Ｗユニット６６，６６・・は、ＬＡＮケーブル等の配線８１を介して、パチンコホール全体を管理するホールコンピュータである管理装置３００に接続されている。さらに、各Ｒ／Ｗユニット６６，６６・・および各パチンコ機１，１・・は、設置台２０３の端部に設置された監視状態報知手段である警報表示器４５とも接続されている。なお、警報表示器４５の正面には、表示器４６が設けられており、上部に警報ランプ４７が設けられている。
【００２７】
かかる監視システムＳにおいては、設置台２０３に設置された各Ｒ／Ｗユニット６６，６６・・が各パチンコ機１，１・・に設置されたＩＣタグとアンテナとを利用して、各パチンコ機１，１・・に対する不正行為の有無を監視する。また、パチンコホールの店員が、情報表示装置２０１に内蔵された中継タグ７６に携帯型情報端末（以下、ＰＤＡという）を近接させることによって、Ｒ／Ｗユニット６６，６６・・の初期設定をしたり、過去の「監視履歴情報」を容易にチェックしたりすることができる。さらに、情報表示装置２０１の所定の差し込み口に店員カードを挿入し、内蔵された認証用アンテナ２０４と近接させることによって、ＩＣタグとアンテナとによる監視状態を後述する「認証状態」に切り替えて、パチンコ機１のメンテナンス作業を実行する際の警報の発生を停止させるとともに、そのメンテナンス作業の間において後述する「作業履歴情報」を管理する。
【００２８】
（２）監視システムの構成
ａ．パチンコ機１の構成
図３〜図５は、パチンコ機１を示したものである。パチンコ機１は、その周囲を機枠２によって支持されており、機枠２の前面には、金属板を折り曲げ形成したミドル枠１０が、左端縁を軸として着脱自在に蝶着されている。そして、ミドル枠１０の前面上側には、略正方形の遊技盤９が設けられているとともに、その遊技盤９を覆うようにガラス枠４が左端縁を軸として着脱自在に蝶着されている。なお、ガラス枠４の中央には、ガラス板が嵌め込まれている（以下、ミドル枠１０、遊技盤９、ガラス枠４等をまとめて遊技枠３という）。また、ガラス枠４の下方には、発射装置５に遊技球を供給するための供給皿６、および供給皿６から溢れた遊技球を貯留するための貯留皿７が設置されている。さらに、貯留皿７の右側には、発射装置５を操作するための発射ハンドル８が取り付けられている。
【００２９】
また、遊技盤９の前面には、誘導レール１２で囲まれた略円形の遊技領域１３が設けられている。そして、その遊技領域１３の略中央には、図柄表示装置１４が設けられており、液晶画面１５に種々の動画やメッセージ等を表示することができるようになっている。さらに、図柄表示装置１４の下側には、図柄始動口１６が設けられており、その図柄始動口１６の下側には、扉部材６１を開閉させる大入賞装置１７が設けられている。また、遊技領域１３の最下位置には、非入賞球を回収するためのアウト口５３が設けられている。加えて、遊技領域１３には、遊技球の落下に変化をもたせるための多数の障害釘や、風車等の遊技部材が設けられているとともに、遊技性を向上させるためのサイドランプ１８、１８・・等が設けられている。
【００３０】
また、図４に示されているように、遊技枠３の開放側の端面には、ＲＦ送受信を行う機枠アンテナ２０が固着されているとともに、機枠２の開放側の側面の内側であって遊技枠３を閉じた際に機枠アンテナ２０と対峙する部位には、機枠アンテナ２０との間でＲＦ送受信を行う機枠タグ２１が固着されている。
【００３１】
図６は、機枠タグ２１の外観を示したものであり、図７は、機枠タグ２１の制御機構を示したブロック図である。機枠タグ２１は、ガラスコンポジット基板２２上に、ＲＦ回路２３とＥＥＰＲＯＭ２４とを一体にしたＩＣチップ２５、および送受信回路２６を設けたものであり、ＲＦ回路２３にＥＥＰＲＯＭ２４と送受信回路２６とが接続されている。そして、ＥＥＰＲＯＭ２４の上書消去禁止区域には、機枠タグ２１を他のＩＣタグと識別するための識別情報が記憶されている。
【００３２】
かかる機枠タグ２１は、遊技枠３を閉じた状態で機枠アンテナ２０との間で、所定の周波数（たとえば、１３．５６ＭＨｚ）を利用して、ＲＦ（Radio Frequency）送受信を行うことが可能であり、呼出波を受信すると、予め記憶されている識別情報を含む反射波を、所定の通信範囲（約３ｍｍ）内に出力（返信）するように設定されている。また、反射波の返信は、ＥＥＰＲＯＭ２４からＩＤコード等の識別情報を読み出し、その識別情報を反射波にのせてＲＦ回路２３から送信することによって行われる。さらに、機枠タグ２１は、送信された呼出波を送受信回路２６が受信し、呼出波に含まれた搬送波成分をＲＦ回路２３で整流することによって直流電圧を得ることができるため、外部からの電源供給を受けることなく、必要な時にいつでも反射波を返信することができる。加えて、機枠タグ２１は、呼出波にのせて送信されてくる特定のデータ（監視履歴情報等）をＥＥＰＲＯＭ２４に記憶しておくことができる。
【００３３】
また、図８は、機枠アンテナ２０を示したものであり、機枠アンテナ２０は、ガラスコンポジット（たとえば、ＣＥＭ３）で形成された薄い板状の基板２７の表面に送受信回路２８を渦巻き状に形成したものである。そして、送受信回路２８の両端縁の端子２９、２９に、同軸ケーブル３０が接続されている。かかる機枠アンテナ２０は、同軸ケーブル３０を介して、情報表示装置２０１内のＲ／Ｗユニット６６に接続されている。
【００３４】
一方、図４に示されているように、ガラス枠４の開放側の裏面には、ガラス枠タグ７７が固着されており、遊技盤９の右上方であってガラス枠４を閉じた際にガラス枠タグ７７と対峙する部位には、ガラス枠タグ７７との間でＲＦ送受信を行うガラス枠アンテナ７８が固着されている。ガラス枠タグ７７は、上記した機枠タグ２１と略同様に構成されたものであり、内蔵されたＥＥＰＲＯＭ２４の上書消去禁止区域には、ガラス枠タグ７７を他のＩＣタグと識別するための識別情報が記憶されている。また、ガラス枠アンテナ７８は、機枠アンテナ２０と略同様に構成されたものであり、基板２７上に送受信回路２８を渦巻き状に形成したものである。
【００３５】
また、図５の如く、ミドル枠１０の背面側には機構板３６が設けられており、その機構板３６には、作動内容を制御するための主制御基板ケース３８、賞品球や貸球を払い出すための遊技球払出装置６３等が設置されている。
【００３６】
図９は、主制御基板ケース３８を示したものであり、主制御基板ケース３８は、ＬＳＩ等の各種の制御素子を搭載した主制御基板３７、主制御基板３７を覆うための分割式の収納ケース３９、ケースタグ４０、ケースアンテナ４１等によって構成されている。主制御基板３７は、遊技球の払い出し動作や、遊技者にとって有利な「大当たり状態」を生起させるか否かの「抽選」等の遊技者の利益に直接的に関わる各種の動作を制御するものであり、配線８１によってＲ／Ｗユニット６６、警報表示器４５、および管理装置３００と電気的に接続されている。
【００３７】
また、分割式の収納ケース３９は、透明な合成樹脂製の前ケース４２と透明な合成樹脂製の後ケース４３とによって構成されており、それらの前ケース４２および後ケース４３は、主制御基板３７を覆うカバーとして機能するものである。
【００３８】
後ケース４３は、アクリル等の透明な合成樹脂によって偏平な直方体状に形成されており、支持翼５７の外側には、ケースタグ４０が接着剤等によって強固に接着されている。ケースタグ４０は、上記した機枠タグ２１と略同様に構成されたものであり、ケースタグ４０に設けられたＥＥＰＲＯＭ２４の上書消去禁止区域には、ケースタグ４０を他のＩＣタグと識別するためのＩＤコード等の識別情報が記憶されている。また、前ケース４２は、アクリル等の透明な合成樹脂によって開口した箱状に形成されており、係合翼４８には、ケースアンテナ４１が接着剤等によって強固に接着されている。ケースアンテナ４１は、機枠アンテナ２０と略同様に構成されたものであり、渦巻き状に形成された送受信回路２８の両端縁の端子２９，２９に、同軸ケーブル３０が接続されている。
【００３９】
主制御基板３７は、縦長の長方形状に形成されており、中央部分の表面には、パチンコ機１の動作内容を制御するためのＬＳＩ５９等の各種の制御素子が搭載されている。なお、ＬＳＩ５９は、各種の演算処理を行うＣＰＵ、データやプログラム等を一時的に記憶するＲＡＭ、各種のデータや制御プログラム等を記憶したＲＯＭ等を一体にモールディングしたものである。
【００４０】
主制御基板ケース３８は、前ケース４２と後ケース４３とが一体に組み付けられることによって、主制御基板３７を覆った状態になっている。そして、そのように組み立てられた主制御基板ケース３８においては、前ケース４２に固着されたケースアンテナ４１が、後ケース４３に固着されたケースタグ４０を覆い、ケースタグ４０と対峙した状態となっている。
【００４１】
ｂ．情報表示装置の構成
図１０〜１３は、各パチンコ機１，１・・の上方に設置された情報表示装置２０１を示したものであり、情報表示装置２０１は、合成樹脂によって形成された表カバー５４および裏カバー５５の内部に、発光体１０２，１０２・・、ＬＣＤユニット５２、上ランプ基板５０、右ランプ基板６５、左ランプ基板６４、Ｒ／Ｗユニット６６、中継タグ７６、店員カード用アンテナ２０６、遊技者カード用アンテナ２０５等を設置したものである（なお、店員カード用アンテナ２０６および遊技者カード用アンテナ２０５とを総称して認証用アンテナ２０４という）。
【００４２】
表カバー５４の中央には、ＬＣＤユニット５２が設置されており、Ｒ／Ｗユニット６６内に蓄積（積算記憶）されたパチンコ機１（隣接したパチンコ機１）に関するデータを、液晶表示方式の表示画面（ＬＣＤ）５１に表示することができるようになっている。また、表示画面の上方には、上ランプ４９が設けられており、表示画面５１の左右には、液晶画面５１に表示するデータを切り替えたり、パチンコホールの店員を呼び出す際に上ランプ４９を発光させたりするための操作スイッチ５６が設けられている。上ランプ４９は、操作スイッチ５６がプッシュ操作されると、上ランプ基板５０の制御に伴って、内蔵された発光体１０２が発光するようになっている。一方、表示画面の左右には、右ランプ５８、左ランプ６０が設けられており、それぞれ、右ランプ基板６５、左ランプ基板６４の制御に伴って、内蔵された発光体１０２が発光するようになっている。
【００４３】
また、ＬＣＤユニット５２の後方の取付板６７には、直方体形状のＲ／Ｗユニット６６が設置されている。Ｒ／Ｗユニット６６は、前面に突設された取付爪３２，３２・・を取付板６７の切り欠き部分に係合させることによって、取付板６７に前面を当接させた状態で設置されている。Ｒ／Ｗユニット６６の背面には、アンテナコネクタ３３、中継タグコネクタ３１、およびＬＣＤコネクタ３４が設けられている。さらに、Ｒ／Ｗユニット６６と隣接した側方には、中継タグ７６が設置されている。
【００４４】
また、表カバー５４の前面右側には、店員カードを挿入するための店員カード挿入部８８が、扁平な孔状に設けられている。また、店員カード挿入部８８の下側には、店員カード用アンテナ２０６が設置されており、店員カード挿入部８８内に挿入された店員カード（後述する）と近接するようになっている。なお、店員カード用アンテナ２０６の構造は、パチンコ機１に設けられた各アンテナと同様であり、基板２７の表面に送受信回路２８を渦巻き状に形成したものである（図８参照）。
【００４５】
一方、表カバー５４の前面左側には、遊技者カードを挿入するための遊技者カード挿入部８９が、扁平な孔状に設けられている。また、遊技者カード挿入部８８の下側には、遊技者カード用アンテナ２０６が設置されており、遊技者カード挿入部８９内に挿入された遊技者カードと近接するようになっている。なお、遊技者カード用アンテナ２０６の構造は、パチンコ機１に設けられた各アンテナおよび店員カード用アンテナ２０６の構造と同様である。
【００４６】
また、Ｒ／Ｗユニット６６は、アンテナコネクタ３３を介して、同軸ケーブル３０，３０によって店員カード用アンテナ２０６、遊技者カード用アンテナ２０５と接続されている。また、ＬＣＤコネクタ３４を介して、ケーブル１１によってＬＣＤユニット５２と接続されている。さらに、中継タグ用コネクタ３１を介して、伝送線９９によって中継タグ７６と接続されている。
【００４７】
一方、Ｒ／Ｗユニット６６の配線（通信ケーブル）８１は、図１２の如く、裏カバー５５に穿設された配線孔３５を通って情報表示装置２０１の外部に導かれている。そして、図１４の如く、設置台２０３の前面の島壁８７に穿設された壁孔９０を通って設置台２０３の内部まで導かれている。設置台２０３の内部に導かれたＲ／Ｗユニット６６の配線８１の一部は、設置台２０３の内部においてパチンコ機１の主制御基板３７と接続されている。さらに、その他の配線８１は、設置台２０３の内部を通って、設置台２０３の端部まで導かれて警報表示器４５に接続されているとともに、設置台２０３の端部から再度設置台２０３の外部に導かれて、パチンコホール管理者がパチンコ機１，１・・を管理するための管理装置３００と接続されている。
【００４８】
また、Ｒ／Ｗユニット６６のＲＦ回路７３から導出された同軸ケーブル３０，３０・・も、配線８１と同様に、図１２の如く、裏カバー５５に穿設された配線孔３５を通って情報表示装置２０１の外部に導かれており、図１４の如く、島壁８７に穿設された壁孔９０を通って設置台２０３の内部まで導かれている。そして、設置台２０３の内部においてパチンコ機１の各アンテナ（機枠アンテナ２０、ガラス枠アンテナ７８、ケースアンテナ４１）と接続されている。
【００４９】
ｃ．Ｒ／Ｗユニット６６の構成
図１４は、Ｒ／Ｗユニット６６の制御機構を示したものである。Ｒ／Ｗユニット６６は、ＣＰＵ６８、ＲＡＭ６９、ＲＯＭ７０、ＥＥＰＲＯＭ７１、タイマ７２、パチンコ機１に設置された各タグとアンテナとの間でのＲＦ送受信を実行させるためのＲＦ回路７３等を有している。また、ＣＰＵ６８が、Ｉ／Ｏインタフェイス７４を介して中継タグ７６等と接続されている。さらに、ＲＦ回路７３が、パチンコ機１に設置された機枠アンテナ２０、ガラス枠アンテナ７８、およびケースアンテナ４１の同軸ケーブル３０と接続されている。加えて、ＲＦ回路７３が、認証用アンテナ２０４と接続された状態になっている。なお、ＥＥＰＲＯＭ７１には、各タグに登録されている識別情報が予め記憶されている。かかるＲ／Ｗユニット６６は、パチンコホールの営業時間内においては、設置台２０３から電源供給されるようになっている。また、パチンコホールの営業時間外においては、内蔵されたバッテリー（図示せず）に蓄積された電力（営業時間内に蓄積された電力）を利用して作動するようになっている。
【００５０】
このように構成されたＲ／Ｗユニット６６は、ＲＦ回路７３を介して各アンテナと各タグとの間で常時（２４時間）ＲＦ送受信を実行させ、各アンテナが各タグからの反射波を受信すると、再度各アンテナから呼出波を発信させるという監視動作を、短時間（約数十ｍｓ）の周期で繰り返し実行している。そして、上記のような監視動作において、たとえば反射波を受信しなくなった場合等の異常な状態を検知した場合には、ＣＰＵ６８により異常な状態と判断され、タイマ７２を利用して、異常な状態を検知した時刻や異常な状態であった時間等を「監視履歴情報」としてＥＥＰＲＯＭ７１に記憶するとともに、警報表示器４５に「開放信号」を送信する。
【００５１】
ｄ．中継タグの構成
図１６は、中継タグ７６の制御機構を示すブロック図である。中継タグ７６は、パチンコ機１に設置された各タグと同様に、アンテナとＲＦ通信するためのＲＦ回路８０およびアンテナ回路８４を有している。また、中継タグ７６は、パチンコ機１に設置された不正監視に利用される各タグとは異なり、各種の演算を実行するためのＣＰＵ７５を有しているとともに、ＲＦ通信以外の方法によりＲ／Ｗユニット６６と信号の送受信をするための入出力ポート８５を有している。なお、中継タグ７６は、合成樹脂等により略直方体状に形成されたブロック体内にＲＦ回路８０とＣＰＵ７５とを一体にしたＩＣチップ８３、およびアンテナ回路８４を内蔵した構造を有している。
【００５２】
かかる中継タグ７６は、ＰＤＡとの間で、所定の周波数（たとえば、１２５ｋＨｚ）を利用して、ＲＦ送受信を行うことが可能である。そして、中継タグ７６は、ＰＤＡからの呼出波を受信すると、伝送線９９を介してＲ／Ｗユニット６６から「監視履歴情報」を受信し、ＰＤＡにその「監視履歴情報」を反射波にのせて出力する。なお、中継タグ７６とＰＤＡとの間で行われるＲＦ送受信は、上記の如く長波帯で行っているため、通信距離が比較的長くなっている。また、中継タグ７６は、ＰＤＡ等から送信された呼出波をアンテナ回路８４が受信し、呼出波に含まれた搬送波成分をＲＦ回路８０で整流することによって直流電圧を得ることができるため、外部からの電源供給を受けることなく、常にＲＦ送受信を実行することができる。また、中継タグ７６は、図１０の如く、アンテナ回路８４を捲回させた面を情報表示装置２０１の表カバー５４の前面の裏側に当接させた状態で接着剤等によって強固に接着されている。
【００５３】
一方、図１７は、中継タグ７６からパチンコホールの店員が情報を読み取るためのＰＤＡの外観を示す斜視図であり、図１８は、ＰＤＡの制御機構を示すブロック図である。ＰＤＡ９４は、本体上部にスロットが設けられており、そのスロットには、アンテナ９１とＲＦ回路９２とを備えたＲＦ通信ユニット９３が挿入されている。また、ＰＤＡ９４の正面には、メニューや受信した「監視履歴情報」等を表示する表示画面９５、操作を行うための操作キー９６等が備えられている。さらに、ＰＤＡ９４は、受信した「監視履歴情報」等を記憶するフラッシュメモリ９７、Ｒ／Ｗユニット６６と「監視履歴情報」等のデータの送受信を行うためのＩ／Ｏインタフェイス９８等を備えている。かかるＰＤＡ９４は、ＲＦ通信ユニット９３を中継タグ７６へ向けて、「監視履歴情報」を要求する呼出波を中継タグ７６へと送信し、中継タグ７６から「監視履歴情報」を含んだ反射波を受信することができ、受信した「監視履歴情報」を表示画面９５に表示することができる。
【００５４】
ｅ．店員カードの構成
図１９は、店員カード用アンテナ２０６とＲＦ送受信を行うための店員カードの制御機構を示すブロック図である。店員カード２４９は、合成樹脂（ＰＶＣ）製のカードに認証タグである店員カード用タグ２５０を埋め込んだものである。店員カード用タグ２５０は、パチンコ機１に設置された各タグと同様に構成されており、送受信回路２５２とＩＣチップ２５３とを有している。さらに、「店員カードタグＩＤ」等を格納したＥＥＰＲＯＭ２６６を有しているとともに、送受信回路２５２に電気的に接続されたＲＦ回路２６７を有している。
【００５５】
店員カード２４９に内蔵された店員カード用タグ２５０には、各店員カードに固有のＩＤである「店員カードタグＩＤ」が書き込まれている（入力されている）。また、管理装置３００には、図２０の如く、各店員カード２４９の「店員カードタグＩＤ」がパチンコホールの店員名と対応付けられた状態で記憶されている。すなわち、パチンコホールの“○○一郎”店員が保持すべきＮＯ．１の店員カード２４９の店員カード用タグ２５０には、４８５２・・・７９ＡＸという「店員カードタグＩＤ」が書き込まれており、パチンコホールの“△△二郎”店員が保持すべきＮＯ．２の店員カード２４９の店員カード用タグ２５０には、６９５７・・・３１ＨＹという「店員カードタグＩＤ」が書き込まれており、管理装置３００の記憶手段（図示せず）には、それらの「店員カードタグＩＤ」が“○○一郎”や“△△二郎”等のパチンコホールの店員名と対応付けられた状態で記憶されている。
【００５６】
（３）監視システムの動作内容
ａ．遊技情報の管理動作
パチンコ機１は、主制御基板ケース３８に収納された主制御基板３７に記憶されたプログラムにしたがって、主たる遊技動作を実行する。そして、発射ハンドル８の回転操作によって遊技領域１３に打ち出された遊技球が図柄始動口１６に入賞すると、主制御基板３７において「抽選」を実行し、「大当たり」を生起させるか否かを決定する。また、「抽選」を実行すると略同時に、図柄表示装置１４の液晶画面１５に表示された図柄を変動させ（他の図柄と順々に入れ替わる動画を表示し）、所定時間後に停止させて新たな図柄を表示する。さらに、「抽選」において「大当たり」が生起した場合には、図柄の変動後に、予め設定された「大当たり図柄」を表示するとともに、「大当たり状態」を生起させて、大入賞装置１７の扉部材６１を所定回数だけ断続的に開放させる。なお、大入賞装置１７の扉部材６１は、「大当たり状態」生起時以外では開放しないようになっている。さらに、特定の「大当たり図柄」が表示された後には、「大当たり状態」の終了後、次の「大当たり状態」が生起するまで、「抽選」における「大当たり」の生起確率を増大させる「高確率状態」を生起させる。一方、扉部材６１の内部の大入賞口や各種の入賞装置に遊技球が入賞した場合には、遊技球払出装置６３の作動によって所定数の遊技球を賞品球として供給皿６に払い出す。
【００５７】
また、パチンコ機１は、電源投入後に図柄変動が実行される毎に、「図柄変動実行信号」をＲ／Ｗユニット６６に送信する。また、遊技球が遊技領域１３の最下位置に設けられたアウト口５３を通過する毎に、「アウト球検出信号」をＲ／Ｗユニット６６に送信し、遊技球払出装置６３が賞品球を払い出す毎に、「賞品球払出信号」をＲ／Ｗユニット６６に送信する。さらに、「大当たり状態」が生起した場合には「大当たり生起信号」をＲ／Ｗユニット６６に送信し、「高確率状態」が生起した場合には「確変生起信号」をＲ／Ｗユニット６６に送信する。
【００５８】
また、パチンコ機１から「図柄変動実行信号」、「アウト球検出信号」、「賞品球払出信号」、「大当たり生起信号」、「確変生起信号」を受信したＲ／Ｗユニット６６は、それらの信号の積算受信回数を信号の種類別に「遊技情報」として所定のタイミングでＲＡＭ６９内に記憶する。また、新たな信号を受信する毎に、記憶している積算受信回数を更新する。そして、情報表示装置２０１の操作スイッチ５６が操作された場合には、操作された操作スイッチ５６の種類に応じて、最新の「遊技情報」をＥＥＰＲＯＭ７１内から取り出し、ＣＰＵ６８の機能によって、非入賞球の総数に関する「アウト情報」、払い出したすべての賞品球数に関する「賞球情報」、図柄の積算変動回数に「スタート情報」、「大当たり状態」の積算生起回数に関する「大当たり情報」、「高確率状態」の積算生起回数に関する「確変情報」等に換算して、ＬＣＤユニット５２の表示画面５１に表示する。なお、Ｒ／Ｗユニット６６は、ＣＰＵ６８の機能によって、「アウト情報」、「賞球情報」、「スタート情報」、「大当たり情報」、「確変情報」を所定の期間毎（たとえば、前日分等）に区分して、ＬＣＤユニット５２の表示画面５１に表示することができるようになっている。
【００５９】
加えて、Ｒ／Ｗユニット６６は、所定時間毎に、ＥＥＰＲＯＭ７１内に記憶された「遊技情報」を管理装置３００に送信するようになっている。一方、Ｒ／Ｗユニット６６から「遊技情報」を受信した管理装置３００は、内蔵された記憶手段（図示せず）内に、それらの「遊技情報」をパチンコ機１の機台別に記憶する。かかる動作によって、Ｒ／Ｗユニット６６のみならず、管理装置３００においても「遊技情報」の管理が可能となる。
【００６０】
ｂ．不正行為の監視動作
各情報表示装置２０１，２０１・・に内蔵されたＲ／Ｗユニット６６は、パチンコ機１に設置された各タグ（機枠タグ２１、ガラス枠タグ７７、ケースタグ４０）とアンテナ（機枠アンテナ２０、ガラス枠アンテナ７８、ケースアンテナ４１）との間におけるＲＦ送受信を利用して、パチンコ機１において不正に遊技枠３を開放させる等の不正行為が行われているか否かの監視動作を実行する。なお、かかる監視動作は、図２２の如き不正監視プログラムにしたがって行なわれる。かかる不正監視プログラムにおいては、Ｒ／Ｗユニット６６は、ＲＦ回路７３によって、パチンコ機１の機枠２に固着されている機枠アンテナ２０を介して、遊技枠３に取り付けられている機枠タグ２１へ所定の周波数（１３．５６ＭＨｚ）の呼出波を送信（ＲＦ送信）する（Ｓ１）。機枠タグ２１は、呼出波を受けると、直ちにＥＥＰＲＯＭ２４内から「識別情報」を呼び出し、その「識別情報」を含めた反射波を返信（ＲＦ送信）する。機枠タグ２１が反射波を送信すると、Ｒ／Ｗユニット６６は、機枠アンテナ２０によって、その反射波を受信する（Ｓ２）。そして、Ｒ／Ｗユニット６６は、機枠タグ２１からの反射波に含まれる「識別情報」が、Ｒ／Ｗユニット６６のＥＥＰＲＯＭ７１に予め記憶されているものと一致するか否かをＣＰＵ６８により判断し（Ｓ３）、記憶されたものと同一であると確認した場合（正常であると判断した場合）には、再度、直ちに呼出波を送信する（Ｓ１）。
【００６１】
しかしながら、Ｓ２において、呼出波を送信してから所定時間（たとえば、５０ｍｓ）内に反射波を受信しなかった場合には、Ｒ／Ｗユニット６６は、異常な状態であると判断し、反射波を受信しなくなった時刻をタイマ７２に基づいてＥＥＰＲＯＭ７１に記憶する（Ｓ４）。また、Ｓ３において、Ｒ／Ｗユニット６６は、機枠タグ２１からの反射波に含まれる「識別情報」が、予めＥＥＰＲＯＭ７１に登録されているものと一致しなかった場合にも、Ｒ／Ｗユニット６６は、異常な状態であると判断し、タイマ７２を利用して、登録されていない識別情報を含む反射波を受信した時刻を、「監視履歴情報」としてＥＥＰＲＯＭ７１に記憶する（Ｓ４）。加えて、Ｒ／Ｗユニット６６は、異常な状態から正常な状態へと復帰した場合には、正常な状態へと復帰した時刻とともに、異常な状態であった時間を、「監視履歴情報」としてＥＥＰＲＯＭ７１に記憶する。
【００６２】
上記の如く、Ｒ／Ｗユニット６６は、パチンコ機１の遊技枠３における監視動作を、短時間（約数十ｍｓ）の周期で２４時間繰り返し実行する。また、機枠タグ２１と機枠アンテナ２０とは、間隔が約３ｍｍ以内となっている場合にのみＲＦ送受信ができるように設定されている。したがって、ほんの少しの時間、わずかに遊技枠３を開放したとしても、その不正行為を検知することができる。
【００６３】
また、Ｒ／Ｗユニット６６は、遊技枠３の開閉状態の監視動作と同様に、ガラス枠タグ７７とガラス枠アンテナ７８との間におけるＲＦ送受信を利用してガラス枠４の不正開放に対する監視動作を実行するとともに、ケースタグ４０とケースアンテナ４１との間におけるＲＦ送受信を利用してパチンコ機１の主制御基板ケース３８の監視動作をも実行する。そして、ＲＦ送受信において異常な状態を検知した場合には、上述した「監視履歴情報」をＥＥＰＲＯＭ７１に記憶する。さらに、Ｒ／Ｗユニット６６は、ＲＦ送受信において異常な状態を検知した場合には、インターフェイス７４を介して警報表示器４５および管理装置３００に「開放信号」を送信する。
【００６４】
警報表示器４５は、その「警戒信号」を受信すると、表示器４６に所定のメッセージを表示するとともに、警報ランプ４７を所定の態様で発光させる。かかる警報ランプ４７の発光によって、パチンコホールの店員の注意が促されることになる。一方、管理装置３００は、その「開放信号」を受信すると、その受信時刻や発信元の「識別記号」（パチンコ機１の機台番号）を、図２１の如き態様で「異常検知情報」として表示装置（図示せず）に表示する（なお、「異常検知情報」は、他の情報とは異なる態様で表示される）。
【００６５】
ｃ．監視履歴情報の提供動作
一方、監視システムＳにおいては、ＥＥＰＲＯＭ７１に記憶される「監視履歴情報」を、ＰＤＡ９４を用いて、中継タグ７６から取り出し、外部で管理することができる。以下、中継タグ７６による「監視履歴情報」の提供動作を図２３のフローチャートにしたがって説明する。
【００６６】
ＰＤＡ９４のＲＦ通信ユニット９３が、情報表示装置２０１の方へ向けられると、ＰＤＡ９４と中継タグ７６とがＲＦ送受信可能な状態となる。そのように、ＰＤＡ９４を中継タグ７６に対向させた状態で、ＰＤＡ９４から「監視履歴送信要求信号」あるいは「監視履歴クリア信号」を含む呼出波を送信する（Ｓ１１）。ここで、Ｓ１２において、所定時間（たとえば、５ｓ）内に中継タグ７６からの返信が確認されなければ、ＰＤＡ９４の表示画面９５に中継タグ７６と通信不可能である旨がエラー表示される（Ｓ１３）。一方、中継タグ７６との間で通信可能な状態であった場合には、Ｓ１４において、送信された呼出波に含まれている信号が「監視履歴送信要求信号」であるのか、または「監視履歴クリア信号」であるのかが判断される。
【００６７】
Ｓ１４における判断の結果、中継タグ７６によって受信された呼出波が「監視履歴送信要求信号」を含む場合には、中継タグ７６はＲ／Ｗユニット６６のＥＥＰＲＯＭ７１に記憶されている「監視履歴情報」を読み出し、その「監視履歴情報」を反射波にのせてＰＤＡ９４へと返信する。中継タグ７６から返信された「監視履歴情報」は、ＰＤＡ９４の表示画面９５に表示される（Ｓ１５）。
【００６８】
一方、Ｓ１４における判断の結果、中継タグ７６によって受信された呼出波が「監視履歴クリア信号」を含む場合には、Ｓ１６へと進み、Ｒ／Ｗユニット６６のＥＥＰＲＯＭ７１に記憶されている「監視履歴情報」がクリアされる。そして、「監視履歴情報」をクリアした旨が、ＰＤＡ９４の表示画面９５に表示される（Ｓ１７）。
【００６９】
ｄ．店員作業時における認証および作業履歴管理動作
上述の如く、Ｒ／Ｗユニット６６は、通常の状態においては、パチンコ機１の各タグとアンテナとが送受信不能になった場合に警報表示器４５および管理装置３００へ「開放信号」を送信することによって、パチンコ機１の状態を監視している（以下、この監視モードを「通常モード」（第一モード）という）。
【００７０】
店員カード２４９が店員カード挿入部８８に挿入されると、店員カード用アンテナ２０６と店員カード用タグ２５０との間のＲＦ送受信が可能となる。そして、店員カード用アンテナ２０６からの呼出波を受信すると、店員カード用タグ２５０は、その店員カード２４９に固有の「店員カードタグＩＤ」を含む射波波を店員カード用アンテナ２０６に送信する。送信された反射波は、店員カード用アンテナ２０６からＲ／Ｗユニット６６へ伝達される。
【００７１】
Ｒ／Ｗユニット６６は、管理装置３００と同様に、店員カード２４９の店員カード用タグ２５０に記憶された「店員カードタグＩＤ」を、有効なすべての店員カード２４９の番号別に、ＥＥＰＲＯＭ７１内に記憶している（図２０参照）。なお、かかる「店員カードタグＩＤ」は、監視システムＳの始動時に、管理装置３００から送信される。店員カード用タグ２５０からの反射波を受信したＲ／Ｗユニット６６は、その反射波に含められた「店員カードタグＩＤ」が、ＥＥＰＲＯＭ７１内に記憶されたものであるかどうかを判断する。
【００７２】
そして、Ｒ／Ｗユニット６６は、店員カード用タグ２５０から受信した反射波に含められた「店員カードタグＩＤ」がＥＥＰＲＯＭ７１内に記憶されたものであると判断した場合には、監視モードを「通常モード」から「認証モード」（第二モード）に切り替えて、それ以降、パチンコ機１の各タグとアンテナとが送受信不能になった場合でも警報表示器４５および管理装置３００へ「開放信号」を送信しないように制御する。そのように、監視状態が「認証モード」となることによって、パチンコホールの店員がメンテナンス作業のため等にパチンコ機１の遊技枠３を開放した場合、ガラス枠４を開放した場合、あるいは、主制御基板ケース３８を開放した場合に、警報表示器４５および管理装置３００へ「開放信号」が送信される事態が回避される。
【００７３】
また、Ｒ／Ｗユニット６６は、店員カード用タグ２５０から送信された反射波に含められた「店員カードタグＩＤ」がＥＥＰＲＯＭ７１内に記憶されたものであると判断した場合には、その反射波を受信した時刻および「店員カードタグＩＤ」を、「監視履歴情報」の一種である「アクセス履歴情報」としてＥＥＰＲＯＭ７１に記憶する。かかる動作によって、何時にどの店員カードによって「認証モード」に切り替えられたかを把握することが可能となる。
【００７４】
さらに、Ｒ／Ｗユニット６６は、監視モードを「認証モード」（第二モード）に切り替えた後、パチンコ機１のタグとアンテナとの送受信が切断された場合には、その切断された時刻と、切断されたタグおよびアンテナの種類とを、認証された「店員カードタグＩＤ」と対応させて「監視履歴情報」の一種である「作業履歴情報」としてＥＥＰＲＯＭ７１に記憶する。かかる動作によって、Ｒ／Ｗユニット６６において「監視履歴情報」の管理が可能となる。
【００７５】
また、Ｒ／Ｗユニット６６は、「認証モード」においてパチンコ機１のタグとアンテナとの送受信が切断された場合には、「監視履歴情報」を管理装置３００へ送信する。Ｒ／Ｗユニット６６から「監視履歴情報」を受信した管理装置３００は、内蔵された記憶手段（図示せず）内に、図２１の如き態様で、それらの「監視履歴情報」をパチンコ機１の機台別に記憶する。かかる動作によって、Ｒ／Ｗユニット６６のみならず、管理装置３００においても「監視履歴情報」の管理が可能となる。
【００７６】
なお、監視モードを「認証モード」（第二モード）に切り替えた後、パチンコ機のすべてのタグとアンテナとの送受信が復旧した場合には、再び監視モードを「通常モード」（第一モード）に切り替えて、それ以降、パチンコ機１の各タグとアンテナとが送受信不能になった場合に警報表示器４５および管理装置３００へ「開放信号」を送信するように制御する。
【００７７】
（４）監視システムの効果
監視システムＳは、上記の如く、ＩＣタグとアンテナとが各パチンコ機１，１・・に搭載されているとともに、各パチンコ機に固有の監視制御装置であるＲ／Ｗユニット６６が設置されているため、パチンコ機１，１・・に対する不正行為の有無を効果的に監視することができる。また、Ｒ／Ｗユニット６６，６６・・が各パチンコ機１，１・・とは別の位置に設置されているため、パチンコホールに設置された既存のパチンコ機を利用して、改造等を要することなく非常に容易に不正監視システムを導入することができる。さらに、監視システムＳによれば、パチンコ機１，１・・の作動を停止させることなく、Ｒ／Ｗユニット６６，６６・・の設置作業やメンテナンス作業を行うことができる。
【００７８】
また、監視システムＳは、Ｒ／Ｗユニット６６，６６・・が設置台２０３に設置されているため、パチンコホールに設置された既存のパチンコ機を利用してシステムを導入する場合に、新たなスペースを設けることなく非常に容易にＲ／Ｗユニット６６，６６・・を設置することができる。
【００７９】
さらに、監視システムＳは、各パチンコ機１，１・・が機枠（支持部材）２に遊技枠（扉）３を開閉自在に設けたものであり、それらの遊技枠３に機枠アンテナ２０が設置されているとともに機枠２に機枠タグ２１が設置されており、遊技枠３が開放されると、機枠タグ２１と機枠アンテナ２０とが無線通信可能な距離を超えて離反するため、各パチンコ機１，１・・の遊技枠３が開放された状態で行われる不正行為を集中的に効率良く監視することができる。
【００８０】
加えて、監視システムＳは、パチンコ機１の作動を制御するメイン制御基板（制御装置）３７がカバーである前ケース４２および後ケース４３に覆われた状態で各パチンコ機１，１・・に設置されており、その前ケース４２および後ケース４３が取り外された場合には、各パチンコ機１，１・・に搭載されたケースタグ４０とケースアンテナ４１とが無線可能な距離を超えて離反するため、各パチンコ機１，１・・の主制御基板３７に対して行われる不正行為を集中的に効率良く監視することができる。
【００８１】
また、監視システムＳは、Ｒ／Ｗユニット６６のＥＥＰＲＯＭ（記憶手段）７１に記憶された「監視履歴情報」を外部に出力するための中継タグ７６が、Ｒ／Ｗユニット６６とともに設置台２０３に設置されているため、中継タグ７６を利用して、各パチンコ機１，１・・の外部からパチンコ機１，１・・に対する不正行為の履歴を効率良く参照することができる。また、新たなスペースを設けることなく非常に容易に中継タグ７６を設置することができる。
【００８２】
さらに、監視システムＳは、Ｒ／Ｗユニット６６による監視状態を「通常モード」（第一状態）から「認証モード」（第二状態）へシフトさせるための店員カード２４９が所定の距離内に配置された場合にのみ、その店員カード２４９と無線通信を実行する店員カード用アンテナ２０６が、Ｒ／Ｗユニット６６とともに設置台２０３に設置されているため、パチンコホールの店員が店員カード用アンテナ２０６を利用して、パチンコ機１に設置されたＩＣタグとアンテナとによる監視状態を非報知状態に切り替えて、パチンコ機１のメンテナンス作業を実行することができる。さらに、新たなスペースを設けることなく非常に容易に認証用アンテナ２０４を設置することができる。
【００８３】
加えて、監視システムＳは、各パチンコ機１，１・・の遊技に関連した情報を表示するための情報表示装置２０１が各パチンコ機１，１・・毎に設置台２０３に設けられており、各情報表示装置２０１の内部に各パチンコ機１，１・・に固有のＲ／Ｗユニット６６が設置されているため、既存設備を利用した不正監視システムの導入をきわめて容易に行うことができる。また、中継タグ７６や認証用アンテナ２０４が情報表示装置２０１の内部に設置されているので、ホール管理者が中継タグ７６を利用する場合や遊技者が認証用アンテナ２０４を利用する場合の利便性に優れている。
【００８４】
加えて、監視システムＳは、各パチンコ機１，１・・の主制御基板３７がＲ／Ｗユニット６６を介して警報表示器４５と管理装置３００とに接続されており、配線がシンプルであるため、信号の送受信の際にエラーが生じにくい。また、既存のパチンコホールに導入する際に、容易に配線することができる。
【００８５】
（５）実施例の監視システムの変更例
なお、本発明の監視システムの構成は、上記実施形態の態様に何ら限定されるものではなく、遊技機、Ｒ／Ｗユニット、中継タグ、認証用アンテナ、ＩＣタグ、アンテナ、警報表示器、管理装置等の形状・構造等の構成を、本発明の趣旨を逸脱しない範囲で、必要に応じて適宜変更することができる。
【００８６】
たとえば、監視システムは、パチンコ機の機枠、ガラス枠、主制御基板ケースにＩＣタグとアンテナとを設けたものに限定されず、大入賞装置の扉部材等の部位にＩＣタグとアンテナとを設けたものでも良い。また、監視システムは、監視履歴情報を管理装置に送信するものに限定されず、インターネット等の回線を通じてパチンコホールの外部に監視履歴情報を送信するもの等でも良い。
【００８７】
また、監視システムは、パチンコ機の主制御基板と監視制御装置と警報表示器と管理装置とを有線によって接続したものに限定されず、それらの装置を無線によって接続したものに変更することも可能である。さらに、監視システムは、監視制御装置を介してパチンコ機の主制御基板と警報表示器あるいは管理装置とを接続したものに限定されず、パチンコ機の主制御基板を直接に警報表示器あるいは管理装置と接続したものに変更することも可能である。加えて、監視システムは、必ずしも警報表示器を有するものに限定されず、パチンコ機の主制御基板、監視制御装置、および管理装置のみを接続したものでも良い。
【００８８】
また、システムは、遊技者カード挿入部に遊技者カードが挿入された場合に、遊技者カードと遊技者カード用アンテナとの間でＲＦ送受信が可能となり、遊技者カードのタグに最新の「遊技情報」を書き込むことができるように構成することも可能である。
【００８９】
一方、Ｒ／Ｗユニットは、パチンコホールの営業時間中に設置台から電源供給を受けるものに限定されず、常時、内蔵したバックアップ電源や外部のバックアップ電源から電源供給を受けるもの等でも良い。また、内蔵されたバッテリーがパチンコホールの営業時間中に蓄えた電力によってパチンコホールの営業時間外に作動するものに限定されず、常時（２４時間）設置台から電源供給されるものに変更することも可能である。さらに、Ｒ／Ｗユニットは、消失時刻や復帰時刻等の監視履歴情報をＥＥＰＲＯＭに記憶するものに限定されず、ハードディスクや光ディスク等の媒体に記憶するものや、監視履歴情報をＲＡＭに一時的に記憶して外部の管理機等に出力した後に消去するもの等でも良い。また、Ｒ／Ｗユニットは、「遊技情報」をＲＡＭに記憶するものに限定されず、ＥＥＰＲＯＭ等のＲＡＭとは異なる記憶手段に記憶するものでも良い。
【００９０】
加えて、遊技機の各部位に設けるＩＣタグは、上記実施形態の如く、小型で扁平な長方形状のものに限定されず、コイン型やスティック型等の別の形状を有するものでも良い。また、上記実施形態の如く、電磁誘導方式によってアンテナと信号の送受信を行うものに限定されず、電磁結合方式、マイクロ波方式、光方式等の別の方法によって、アンテナと信号の送受信を行うものに変更することができる。さらに、ＩＣタグやアンテナの取付方法は、所定の部材や装置に接着する方法に限定されず、所定の部材や装置に一体的にモールディングする方法等の別の方法を採用することができる。加えて、ＩＣタグやアンテナを、所定の場所から剥がすと機能しなくなるように構成することも可能である。さらに、ＩＣタグは、アンテナからの呼出波を受信すると、予め登録されている識別情報を含む反射波を返信する動作のみを実行するものに限定されず、アンテナからの呼出波にのせて送信されてきた特定のデータを記憶手段に記憶するものに変更することも可能である。
【００９１】
なお、本発明の監視システムは、上記実施形態の如くパチンコ機を監視するものに限定されず、スロットマシーン、スロットマシーン型パチンコ機等の他の遊技機を監視するものに変更することも可能である。
【産業上の利用可能性】
【００９２】
本発明の遊技機用監視システムは、各種の遊技機用の監視システムとして好適に用いることができる。
【図面の簡単な説明】
【００９３】
【図１】監視システムを示すブロック図である。
【図２】監視システムを導入したパチンコホールの外観を示す説明図である。
【図３】パチンコ機の正面図である。
【図４】遊技枠及び前面枠を開放したパチンコ機の斜視図である。
【図５】パチンコ機の背面図である。
【図６】ＩＣタグの正面図である。
【図７】ＩＣタグの制御機構を示すブロック図である。
【図８】アンテナの正面図である。
【図９】メイン制御ボックスの分解斜視図である。
【図１０】情報表示装置の斜視図である。
【図１１】情報表示装置の分解斜視図（前方からみた分解斜視図）である。
【図１２】情報表示装置の分解斜視図（後方からみた分解斜視図）である。
【図１３】情報表示装置の背面図（裏カバーを取り外した状態）である。
【図１４】情報表示装置の配線状態を示す断面図（設置台を鉛直方向に切断した断面図）である。
【図１５】Ｒ／Ｗユニットの制御機構を示すブロック図である。
【図１６】中継タグの制御機構を示すブロック図である。
【図１７】ＰＤＡの斜視図である。
【図１８】ＰＤＡの制御機構を示すブロック図である。
【図１９】店員カードの制御機構を示すブロック図である。
【図２０】管理装置に「店員カードタグＩＤ」が記憶されている状態を示す説明図である。
【図２１】管理装置の表示装置に「監視履歴情報」および「作業履歴情報」が表示された状態を示す説明図である。
【図２２】パチンコ機の監視動作を実行するためのプログラムを示すフローチャートである。
【図２３】パチンコ機の監視履歴情報の提供動作を実行するためのプログラムを示すフローチャートである。
【符号の説明】
【００９４】
１・・パチンコ機、２・・機枠（支持部材）、３・・遊技枠（扉）、２０・・機枠アンテナ、２１・・機枠タグ、３７・・主制御装置、３８・・主制御基板ケース、４０・・ケースタグ、４１・・ケースアンテナ、６６・・Ｒ／Ｗユニット（監視制御装置）、７６・・中継タグ、７７・・ガラス枠タグ、７８・・ガラス枠用アンテナ、９０・・ＰＤＡ、２０１・・情報表示装置、２０３・・設置台、２０４・・認証用アンテナ、２０６・・店員カード用アンテナ（カード用アンテナ）、２４９・・店員カード、２５０・・店員カード用タグ（認証タグ）、Ｓ・・監視システム、
【図１】
2005253951.tif 000003
【図２】
2005253951.tif 000004
【図３】
2005253951.tif 000005
【図４】
2005253951.tif 000006
【図５】
2005253951.tif 000007
【図６】
2005253951.tif 000008
【図７】
2005253951.tif 000009
【図８】
2005253951.tif 000010
【図９】
2005253951.tif 000011
【図１０】
2005253951.tif 000012
【図１１】
2005253951.tif 000013
【図１２】
2005253951.tif 000014
【図１３】
2005253951.tif 000015
【図１４】
2005253951.tif 000016
【図１５】
2005253951.tif 000017
【図１６】
2005253951.tif 000018
【図１７】
2005253951.tif 000019
【図１８】
2005253951.tif 000020
【図１９】
2005253951.tif 000021
【図２０】
2005253951.tif 000022
【図２１】
2005253951.tif 000023
【図２２】
2005253951.tif 000024
【図２３】
2005253951.tif 000025